(57)【要約】本発明によれば、厚みに関わらず完全にシート材（Ｔ）を巻き上げることが可能なおしぼり巻き上げ装置（３０）を備えたおしぼり製造装置が提供される。このおしぼり巻き上げ装置（１）は、駆動ローラ（１２）と従動ローラ（４４）との間に捲回張設された無端ベルト（４５）と、該無端ベルト（４５）のベルト面（４５ａ）の弛んだ側に対向して配置された当接面を備えている下側組立部材とを有する。シート材がベルト面（４５ａ）と当接面（３７ａ）との間に提供されると、このシート材（Ｔ）は、ベルト面（４５ａ）に沿って搬送されつつ、シート材（Ｔ）と当接面（３７ａ）との間の摩擦力の助けにより巻き上げられる。
2005507676.tif 000002
【特許請求の範囲】
【請求項１】
布や紙等のシート材を棒状に巻き上げることによりおしぼりを作成するおしぼり巻き上げ装置であって、
駆動ローラと従動ローラとの間に捲回張設されており、弛んだ側を備えた無端ベルトと、
該無端ベルトの前記弛んだ側に当接面が対向して配置された下側組立部材とを有し、
該下側組立部材に前記無端ベルトが回転可能に設けられており、
前記ベルト面と前記当接面との間で、前記シート材が、前記ベルトの前記弛んだ側によって搬送されつつ、前記シート材と前記当接面との間の摩擦力の助けにより巻き上げられることを特徴とするおしぼり巻き上げ装置。
【請求項２】
前記従動ローラ付近の前記当接面に弾性部が形成されており、棒状に巻き上げられた前記シート材が該弾性部に沈み込むことを特徴とする請求項１に記載のおしぼり巻き上げ装置。
【請求項３】
前記従動ローラ付近の前記ベルト面と前記当接面との間に、所定の間隙を設けたことを特徴とする請求項１に記載のおしぼり巻き上げ装置。
【請求項４】
前記下側組立部材を前記当接面が上向きになるように配置し、且つ前記無端ベルトを前記下側組立部材に載置し、前記無端ベルトの自重により前記ベルト面と前記当接面とが接するようにしたことを特徴とする請求項１に記載のおしぼり巻き上げ装置。
【請求項５】
前記従動ローラの軸が前記下側組立部材の一端で支持されるようにすることにより前記無端ベルトが前記下側組立部材に揺動自在に連結されることを特徴とする請求項請求項４に記載のおしぼり巻き上げ装置。
【請求項６】
前記無端ベルトを前記弛んだ側が上向きになるように配置し、且つ前記下側組立部材を前記無端ベルトに載置し、前記下側組立部材の自重により前記当接面と前記ベルト面とが接するようにしたことを特徴とする請求項１に記載のおしぼり巻き上げ装置。
【請求項７】
前記従動ローラの軸で前記下側組立部材の一端が支持されるようにすることにより前記下側組立部材を前記無端ベルトに揺動自在に連結させ、前記当接部材が横臥した状態で、前記ベルト面と前記当接面とが接するようにしたことを特徴とする請求項１に記載のおしぼり巻き上げ装置。
【請求項８】
請求項１に記載の前記おしぼり巻き上げ装置を用いることを特徴とするおしぼり製造装置。
【発明の詳細な説明】
【技術分野】
【０００１】
本発明は、布や紙から作られたおしぼりを提供するおしぼり巻き上げ装置を備えているおしぼり製造装置に関する。
【背景技術】
【０００２】
従来より、おしぼりは、布や紙等のシート材に水分を浸透させ、濡れたシート材を棒状に巻き上げることにより作成される。図９及び図１０は、従来のおしぼり巻き上げ装置の動作を示す断面模式図である。
【０００３】
図１には、従来のドラム式おしぼり巻き上げ装置の断面図が示されている。回転ドラム５０の外周に回転ベルト５１が捲回され、回転ドラム５０と回転ベルト５１が一体で回転する。回転ベルト５１の外周の頂部から半時計回りに延在して約８分の５を覆うように固定ベルト５２が設けられ、固定ベルト５２の上端が固定金具５３で、固定ベルト５２の下端が固定金具５４でそれぞれ固定されている。回転ベルト５１の頂部付近では回転ベルト５１と固定ベルト５２との間にはほとんど隙間は無いが、下方に向かって徐々に隙間が広くなるように回転ベルト５１が配置されている。回転ベルト５１の頂部と固定ベルト５２との間にシート材Ｔを挿入すると、シート材Ｔが回転ベルト５１により搬送されつつ固定ベルト５２との間の摩擦で引き戻されることにより、固定ベルト５２に沿って下方に移動しつつシート材Ｔが棒状に巻き上げられる。
【０００４】
また、図２に示す従来のおしぼり巻き上げ装置は、無端ベルト式のおしぼり巻き上げ装置である。駆動ローラ５９と従動ローラ５７との間に取付けられている無端ベルト５５は、駆動ローラ５９と従動ローラ５７との回転で生じる張り側（図２における上側）に固定ベルト６１の一端が圧接されている。固定ベルト６１は、固定軸６３を中心に回動可能な押さえ板６０に張着されている。そして、固定金具６２と押さえ板６０との間に張架されたバネ６４の弾性力により、固定ベルト６１の一端が無端ベルト５５に圧接される。無端ベルト５５の進行方法に向かって、無端ベルト５５と固定ベルト６１との間の隙間は徐々に広がっている。従動ローラ５７側から無端ベルト５５上にシート材Ｔを載せ、固定ベルト６１と無端ベルト５５との間にシート材Ｔを挿入すると、シート材Ｔが無端ベルト５５により搬送されつつ固定ベルト６１との間の摩擦で引き戻されることにより、無端ベルト５５に沿って移動しつつシート材Ｔが棒状に巻き上げられる。
【発明の開示】
【発明が解決しようとする課題】
【０００５】
しかしながら、従来のおしぼり巻き上げ装置は、固定ベルトと回転ベルト（若しくは無端ベルト）との間隔を、シート材の厚さに応じて調節することができない。このため、おしぼり巻き上げ装置の再調節なしに厚みの異なるシート材をおしぼりとして巻き上げることができない。
【０００６】
本発明は、このような事情に鑑みてなされたもので、シート材の厚みに関わらずシート材の巻き上げが可能であるおしぼりの巻き上げ装置を提供することにある。
【課題を解決するための手段】
【０００７】
本発明の実施の形態によれば、駆動ローラと従動ローラとの間に捲回張設された無端ベルトと、駆動ローラの送り出しによって弛んだ側の無端ベルトのベルト面に当接面が対向して配置された下側組立部材（当接部材）とを備え、駆動ローラ側からベルト面と当接面との間に投入されたシート材が、ベルト面で搬送されつつ当接面との間の摩擦で引き戻されることにより、シート材が棒状に巻き上げられるおしぼり巻き上げ装置が提供される。
【０００８】
本発明の他の実施の形態によれば、本発明のおしぼり巻き上げ装置を用いるおしぼり製造装置が提供される。
【発明を実施するための最良の形態】
【０００９】
図３を参照すると、おしぼり製造装置１は、布、紙、不織布等のシート材Ｔに水分を含浸させ、棒状に巻き上げることによりおしぼりを製造する装置である。おしぼり製造装置１は、レストラン等に設置され、使用者がスイッチ６を押下すると、筐体５内部でおしぼりの製造が行われ、取り出し口７から完成したおしぼりが排出されてくる。
【００１０】
図４からわかるように、おしぼり装置１の内部には、タンク１０、シート材Ｔがロール状に巻き上げられたドラム１１、シート材Ｔを搬送するローラ１２並びにモータ１５、シート材Ｔを所定の大きさに切断するカッター１４、シート材Ｔのための2つのガイド１８並びに１９、シート材Ｔに水を噴霧するためのノズル２５並びにタンク１０、その水を温めるヒータ２６、シート材Ｔを棒状に巻き上げるおしぼり巻き上げ装置３０等が設けられている。
【００１１】
おしぼり装置１のおしぼり巻き上げ装置３０は、シート材Ｔを棒状に巻き上げるための装置である。図５で図示されるように、おしぼり巻き上げ装置３０は、主に下側組立部材３５と上側組立部材４０を含む。下側組立部材３５は、長方形の基部３５ａ、及び該長方形基部３５ａの一端部分に形成された支持部３５ｂ，３５ｃを含む。更に、下側組立部材３５は、側面からみたとき、その中央部が凸状に湾曲した面を有している。この面の上面には、シート状のゴム材である固定ベルト３７が貼付され、表面に当接面３７ａが形成されている。基部３５ａの一端には、湾曲形状のガイド３６が設けられている。尚、ガイド３６の湾曲形状は、後述する駆動ローラ４２の曲面に沿う形状である。
【００１２】
上側組立部材４０は、長方形の天板部４０ａと長方形の側部パネル４０ｂを含む。上側組立部材４０の一端部付近の2つの対向する側部パネル４０ｂ間に軸４１が軸架されている。軸４１の両端にはＥリング４１ａが装着され、軸４１が側部パネル４０ｂから抜け落ちないようになっている。側部パネル４０ｂ間には駆動ローラ４２が固定され、軸４１の周囲を回転自在に支持されている。軸４１の一端には、プーリ４６が固定されている。
【００１３】
上側組立部材４０の他端部付近の2つの対向する側部パネル４０ｂ間に別の軸４３が軸架されている。軸４３の両端は側部パネル４０ｂから突出している。側部パネル４０ｂの間の軸４３には従動ローラ４４が設けられ、軸４３とは独立して回転可能な状態となっている。駆動ローラ４２と従動ローラ４４との間には無端ベルト４５が捲回張設されている。無端ベルト４５はゴム製のベルトである。軸４３の一端には、プーリ４７が固定されており、プーリ４６とプーリ４７との間にベルト４８が捲回されている。軸４３の第1端部は、当接部材３５の支持部３５ｃに設けられた孔に挿入されており、軸４３の第2端部は、支持部３５ｂに挿入されている。軸４３を介して上側組立部材４０は、下側組立部材３５にその一端が軸支されている。この配置により、無端ベルト４５は、下側組立部材３５に揺動自在に連結された状態となっている（図６に示す矢印ａ方向）。尚、無端ベルト４５のベルト面４５ａは、無端ベルト４５及び上側組立部材４０等の自重により固定ベルト３７の当接面３７ａに密接している。
【００１４】
下側組立部材３５の支持部３５ｂから外側に突出した軸４３の第2端部には、ギア３３が装着されており、このギア３３は、Ｅリング３３ａにより軸４３から脱落しないように固定されている。このギア３３にはモータ３１により回転可能に設けられたモータギア３２が噛み合っている。よって、モータ３１が回転することで、モータギア３２及びギア３３を介して軸４３が回転する。軸４３が回転すると、プーリ４７及びプーリ４６を介して軸４１が回転すると共に駆動ローラ４２が回転する。駆動ローラ４２が回転することにより、無端ベルト４５が回転する。尚、無端ベルト４５の回転の方向は、図７−Ａの矢印ｂに示す方向である。無端ベルト４５の弛んだ側の形状は、固定ベルト３７の湾曲形状に適合する。
【００１５】
また、図７−Ａに示すように、従動ローラ４４付近の固定ベルト３７の当接面３７ａと無端ベルト４５のベルト面４５ａとの間に非常に小さい隙間が形成されるように、軸４３は下側組立部材３５の支持部３５ｂ，３５ｃに軸支されている。この隙間は、巻き上げ完了後の太くなったシート材Ｔが固定ベルト３７と無端ベルト４５との間に詰まることなく排出されるのに十分な隙間とする。
【００１６】
次に、本実施例におけるおしぼり巻き上げ装置３０の動作を説明する。まず、おしぼりを必要とする人が、おしぼり製造装置１のスイッチ６を押下すると、モータ１５が回転し、これにより、ローラ１２が回転してドラム１１に巻かれたシート材Ｔを下方に引張る。シート材Ｔがカッター１４の約２００ｍｍの下方まで進んだとき、カッター１４がシート材Ｔに当たってシート材Ｔが約２００ｍｍの長さで切断される。シート材Ｔの横幅が約１３０ｍｍであれば、切断されるシート材Ｔの一枚の大きさは約２００ｍｍ×約１３０ｍｍと見積もることができる。切断されたシート材Ｔは、ガイド１８に導かれて下に進み、ノズル２５の近傍を通過する。このとき、シート材Ｔに向かってノズル２５から水が噴霧される。濡れたシート材Ｔはガイド１９に導かれてさらに下に進み、図７−Ａに示すように、おしぼり巻き上げ装置３０のガイド３６に到達する。
【００１７】
次に、図７−Ａの矢印ｂ方向に回転する無端ベルト４５と接触するように、シート材Ｔが湾曲状のガイド３６によって引入れられる。その後、無端ベルト４５のベルト面４５ａにより図７−Ｂの矢印ｃ方向に搬送される。シート材Ｔが固定ベルト３７の当接面３７ａに接すると、シート材Ｔの厚み分だけ無端ベルト４５は持ち上げられることになり（矢印ｄ）、シート材Ｔには無端ベルト４５等の重さが加わり、固定ベルト３７との間に摩擦力が生じることとなる。そして、そのような摩擦力のために、シート材Ｔは進む際に、矢印ｅで示される方向に巻き上げられる。換言すると、シート材Ｔの進行が固定ベルト３７とシート材Ｔ自体との間に生じる摩擦力によって妨害されて、シート材Ｔは、無端ベルト４５のベルト面４５ａで搬送されつつ当接面３７ａとの間の摩擦で巻き上げられていく。更に、シート材Ｔが矢印ｃ方向に進むと、巻き上げが一段と進み（図８−Ｂ参照）、最終的には、図８−Ｃに示すように、棒状に巻き上げられる。このとき、無端ベルト４５のベルト面４５ａが持ち上げられて適度な摩擦力が維持されつつ、シート材Ｔは矢印ｃ方向に進むことになる。
【００１８】
上述のように、本発明によるおしぼり巻き上げ装置３０を用いることで、シート材Ｔの厚みに応じて、無端ベルト４５が矢印ｄ方向に持ち上げられること、及び無端ベルト４５の弛みが適宜調整されることにより、シート材Ｔはその厚みに関わらず巻き上げが可能である。このため、違う材質で厚みの異なるシート材Ｔを本発明のおしぼり巻き上げ装置で巻き上げる場合にも、シート材Ｔごとに無端ベルト４５と固定ベルト３７との位置調整を行うこと無く、首尾よく巻き上げることが可能となる。また、一旦無端ベルト４５等を適切な重さで設計してしまえば、ベルト面４５ａと当接面３７ａとの間の接触圧を組立ての際に調節する必要が無く、組立の労力をも軽減することができる。
【００１９】
尚、図９に示すように、軸４３が下側組立部材３５に軸支されていることから、巻き上がったシート材Ｔが従動ローラ４４に近づくにつれて、無端ベルト４５の持ち上げられる割合は減少し、ベルト面４５ａと当接面３７ａとの間の距離が小さくなり強い摩擦力が生じる。その結果、手に取った途端に解けてしまわない扱いやすい堅めの巻き上げ仕上げが可能である。
【００２０】
尚、従動ローラ４４付近のベルト面４５ａと当接面３７ａとの間に、所定の間隙を設けることで、巻き上げられて厚みを増したシート材Ｔがベルト面４５ａと当接面３７ａとの間に詰まることなくスムーズに排出される。
【００２１】
また、図１０に示すように、巻き上げられたシート材Ｔがその上で沈みこむ弾性部３７ｂを形成することにより、巻き上げられて厚みを増したシート材Ｔがベルト面４５ａと当接面３７ａとの間に詰まることなくスムーズに排出される。尚、弾性部３７ｂは、固定ベルト３７上に溝を設けたり、より柔らかい材質のゴム材を用いることにより実現可能である。
【００２２】
尚、本発明の好適実施例では、上側組立部材４０が下部の組立体３５と揺動自在に連結し、無端ベルト３５が横臥した状態で、当接面３７ａとベルト面４５ａとが互いに接する構造としている。しかしながら、本発明は、このような構造に限られるものではなく、種々の修正がなされてよい。例えば、下側組立部材３５を無端ベルト４５に載置し、下側組立部材３５の自重により当接面３７ａとベルト面４５ａとが接するようにしてもよい。一旦下側組立部材３５を適切な重さで設計してしまえば、ベルト面４５ａと当接面３７ａとの間の接触圧を組立の際に調節する必要が無く、組立の労力を軽減することができる。また、シート材Ｔが太くなりつつ従動ローラ４４に近づくと、ベルト面４５ａと当接面３７ａとの間の距離が小さくなり強い摩擦力が生じる。その結果、手に取った途端に解けてしまわない扱いやすい堅めの巻き上げ仕上げが可能である。
【００２３】
本発明は、好適実施例に関して例示及び説明がなされてきたが、当業者は、付随の請求項により規定される本発明の精神及び範囲から逸脱することなしに、種々の変更及び修正がなされてよいことを理解するであろう。
【図面の簡単な説明】
【００２４】
【図１】従来のおしぼり巻き上げ装置の断面図である。
【図２】従来の他のおしぼり巻き上げ装置の断面図である。
【図３】本発明に係るおしぼり巻き上げ装置を備えるおしぼり製造装置の透視図である。
【図４】図３に示すおしぼり製造装置の断面図である。
【図５】本発明によるおしぼり巻き上げ装置の組立分解図である。
【図６】本発明によるおしぼり巻き上げ装置の断面図である。
【図７−Ａ】おしぼりがおしぼり巻き上げ装置に提供される直前の、図４のおしぼり巻き上げ装置の動作状態を示す断面図である。
【図７−Ｂ】おしぼりがおしぼり巻き上げ装置に提供される直後の、図４のおしぼり巻き上げ装置の動作状態を示す断面図である。
【図８−Ａ】おしぼりが巻き上げられる際の、図６のおしぼり巻き上げ装置の動作を示す部分断面図である。
【図８−Ｂ】おしぼりが巻き上げられる際の、図６のおしぼり巻き上げ装置の動作を示す部分断面図である。
【図８−Ｃ】おしぼりが巻き上げられる際の、図６のおしぼり巻き上げ装置の動作を示す部分断面図である。
【図９】おしぼりが完全に巻き上げられた後の、図６のおしぼり巻き上げ装置の動作を示す断面図である。
【図１０】おしぼりが弾性部分に位置する際の、図６のおしぼり巻き上げ装置の動作を示す部分断面図である。
【符号の説明】
【００２５】
１    おしぼり製造装置
３０  おしぼり巻き上げ装置
３５  下側組立部材
３６  ガイド
３７  固定ベルト
４０  上側組立部材
４２  駆動ローラ
４４  従動ローラ
４５  無端ベルト
【図１】
2005507676.tif 000003
【図２】
2005507676.tif 000004
【図３】
2005507676.tif 000005
【図４】
2005507676.tif 000006
【図５】
2005507676.tif 000007
【図６】
2005507676.tif 000008
【図７−Ａ】
2005507676.tif 000009
【図７−Ｂ】
2005507676.tif 000010
【図８−Ａ】
2005507676.tif 000011
【図８−Ｂ】
2005507676.tif 000012
【図８−Ｃ】
2005507676.tif 000013
【図９】
2005507676.tif 000014
【図１０】
2005507676.tif 000015
【国際公開パンフレット】
2005507676.tif 000016
2005507676.tif 000017
2005507676.tif 000018
2005507676.tif 000019
2005507676.tif 000020
2005507676.tif 000021
2005507676.tif 000022
2005507676.tif 000023
2005507676.tif 000024
2005507676.tif 000025
2005507676.tif 000026
2005507676.tif 000027
2005507676.tif 000028
2005507676.tif 000029
2005507676.tif 000030
2005507676.tif 000031
2005507676.tif 000032
2005507676.tif 000033
【国際公開パンフレット（コレクトバージョン）】
2005507676.tif 000034
2005507676.tif 000035
2005507676.tif 000036
2005507676.tif 000037
2005507676.tif 000038
2005507676.tif 000039
2005507676.tif 000040
2005507676.tif 000041
2005507676.tif 000042
2005507676.tif 000043
2005507676.tif 000044
2005507676.tif 000045
2005507676.tif 000046
2005507676.tif 000047
2005507676.tif 000048
2005507676.tif 000049
2005507676.tif 000050
2005507676.tif 000051
【国際調査報告】
2005507676.tif 000052
2005507676.tif 000053